(57)【要約】【課題】本発明は、使用者が記録操作をすることなく複数のデジタル記録機器に放送番組を記録することが可能な放送受信装置を提供する。【解決手段】本発明による放送受信装置は、複数のデジタル記録機器１１１、１１２を制御可能に接続する接続手段１１３、１１４と、接続手段１１３、１１４により接続された複数のデジタル記録機器１１１、１１２に対して記録再生の操作を行なう制御部２１５とを備え、制御部２１５は一つのデジタル記録機器１１１が記録中にその記録動作が正常でなくなったとき、他のデジタル記録機器１１２に切り換えて記録動作をさせることを特徴とする。【選択図】図２
2009055167.tif 000002
【特許請求の範囲】
【請求項１】
複数のデジタル記録機器を制御可能に接続する接続手段と、
前記接続手段により接続された複数の前記デジタル記録機器に対して記録再生の操作を行なう制御部と、
を備え、前記制御部は一つの前記デジタル記録機器が記録中にその記録動作が正常でなくなったとき、他の前記デジタル記録機器に切り換えて記録動作をさせることを特徴とする、放送受信装置。
【請求項２】
前記放送受信装置の内部に前記記録再生の動作が可能な記録媒体をさらに備え、
前記制御部は一つの前記デジタル記録機器または内部の前記記録媒体が記録中にその記録動作が正常でなくなったとき、他の前記デジタル記録機器または前記内部の記録媒体に切り換えて記録動作をさせることを特徴とする、請求項１に記載の放送受信装置。
【請求項３】
前記デジタル記録機器または前記内部の記録媒体に対して、前記記録動作をさせる優先順位が予め設定されていることを特徴とする、請求項１または請求項２に記載の放送受信装置。
【請求項４】
前記記録動作を行なった前記デジタル記録機器の記録の履歴を記憶する不揮発性メモリと、
前記記録の履歴を前記放送受信装置の映像表示部に表示する手段と、
をさらに備えることを特徴とする、請求項１または請求項２に記載の放送受信装置。
【請求項５】
前記接続手段はＨＤＭＩによる接続手段であることを特徴とする、請求項１または請求項２に記載の放送受信装置。
【発明の詳細な説明】
【技術分野】
【０００１】
本発明は、複数の記録再生装置への記録を制御する放送受信装置に関する。
【背景技術】
【０００２】
近年、デジタルテレビジョン放送のデジタル化が推進されており、例えば日本国内ではＢＳ（Ｂｒｏａｄｃａｓｔｉｎｇ  Ｓａｔｅｌｌｉｔｅ）デジタル放送および１１０度ＣＳ（Ｃｏｍｍｕｎｉｃａｔｉｏｎ  Ｓａｔｅｌｌｉｔｅ）デジタル放送などの衛星デジタル放送だけではなく、地上デジタル放送も本格的に開始されている。このようなデジタルテレビジョン放送を受信するデジタル放送受信装置には、例えばＨＤＤ（Ｈａｒｄ  Ｄｉｓｋ  Ｄｒｉｖｅ）内蔵レコーダのような大容量のデジタル記録機器を接続することによって、受信した番組のデジタル記録や、記録した番組の再生が可能となる。
【０００３】
現在では、一台のデジタル放送受信装置に対して複数のデジタル記録機器を接続してネットワーク化することによって、デジタル放送受信装置から任意のデジタル記録機器を指定して放送番組の記録をさせることや、任意のデジタル記録機器を指定して放送番組の再生をさせることができる。このように、複数のデジタル記録機器をネットワーク接続した場合において、各々のデジタル記録機器を容易に管理できるようにグラフィックユーザインターフェースを表示するように構成されたものがある（例えば、特許文献１参照）。
【０００４】
一方、デジタル放送受信装置とデジタル記録機器とを接続する手段の一つとして、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）がある。ＨＤＭＩは、接続機器同士が互いに認識することができるインテリジェント機能を有しており、映像・音声・制御信号が一体化したシングルケーブルである。このように、ＨＤＭＩ規格の回線で構成されたネットワーク上において相互接続された複数の機器同士が、音声・映像に関するコンテンツを含むデータ信号やコマンドと呼ばれる制御信号などをやりとりすることによって、コンテンツを記録・再生するシステムがある（例えば、特許文献２参照）。
【０００５】
【特許文献１】特開２００６−９４４０８号公報
【特許文献２】特開２００５−１８４０７９号公報
【発明の開示】
【発明が解決しようとする課題】
【０００６】
従来における複数のデジタル記録機器をネットワーク接続した環境では、一つのデジタル記録機器で放送番組記録をする場合においてデジタル記録機器に何らかの問題が生じて記録ができなかったときに、他のデジタル記録機器で引き続き記録させるように使用者が操作する必要があった。また、放送番組の記録をするためには、デジタル記録機器内蔵のＨＤＤに記録に必要な十分な容量が確保されている必要があり、ＨＤＤの容量が十分でない場合にはＨＤＤに記録されているデータを消去して容量を確保する必要があった。
【０００７】
本発明は、これらの問題を解決するためになされたもので、使用者が記録操作をすることなく複数のデジタル記録機器に放送番組を記録することが可能な放送受信装置を提供することを目的とする。
【課題を解決するための手段】
【０００８】
上記の課題を解決するために、本発明による放送受信装置は、複数のデジタル記録機器を制御可能に接続する接続手段と、接続手段により接続された複数のデジタル記録機器に対して記録再生の操作を行なう制御部とを備え、制御部は一つのデジタル記録機器が記録中にその記録動作が正常でなくなったとき、他のデジタル記録機器に切り換えて記録動作をさせることを特徴とする。
【発明の効果】
【０００９】
本発明は、請求項１に記載のように、接続手段は複数のデジタル記録機器を制御可能に接続し、制御部は接続手段により接続された複数のデジタル記録機器に対して記録再生の操作を行ない、制御部は一つのデジタル記録機器が記録中にその記録動作が正常でなくなったとき、他の前記デジタル記録機器に切り換えて記録動作をさせるので、使用者が記録操作をすることなく複数のデジタル記録機器に放送番組を記録することが可能である。
【発明を実施するための最良の形態】
【００１０】
本発明の実施形態について、図面に基づいて以下に説明する。
【００１１】
図１は、本発明の実施形態によるデジタルテレビジョン放送受信装置１００のネットワークシステムの一例を示す図である。図１に示すように、デジタルテレビジョン放送受信装置１００には、例えば、液晶表示パネル等の平面パネル型の映像表示部１０１、スピーカ１０２、操作部１０４、リモートコントローラ１０５から送信される操作情報を受信する受光部１０３などが備えられている。また、例えば、ＳＤ（Ｓｅｃｕｒｅ  Ｄｉｇｉｔａｌ）メモリカード、ＭＭＣ（Ｍｕｉｔｉｍｅｄｉａ  Ｃａｒｄ）、メモリスティックなどのメモリカード１１０が着脱可能であり、メモリカード１１０に対して放送番組や写真などの情報の記録または再生を行なうことができる。さらに、デジタルテレビジョン放送受信装置１００には第一のＨＤＭＩ端子１０６および第二のＨＤＭＩ端子１０７を備えており、第一のＨＤＭＩ端子１０６から第一のＨＤＭＩケーブル１１３を介して第一のレコーダ１１１（デジタル記録機器）に、第二のＨＤＭＩ端子１０７から第二のＨＤＭＩケーブル１１４を介して第二のレコーダ１１２（デジタル記録機器）に各々接続されている。第一のレコーダ１１１および第二のレコーダ１１２には、記録媒体としてＨＤＤの他に、ＤＶＤ（Ｄｉｇｉｔａｌ  Ｖｅｒｓａｔｉｌｅ  Ｄｉｓｋ）、ＢＤ（Ｂｌｕ−ｒａｙ  Ｄｉｓｃ）、ＨＤ  ＤＶＤ（Ｈｉｇｈ  Ｄｅｆｉｎｉｔｉｏｎ  ＤＶＤ）など記録可能なドライブが備えられている。
【００１２】
図２は、本発明の実施形態によるデジタルテレビジョン受信装置１００の構成ブロック図である。図２に示すように、ＢＳ／ＣＳデジタル放送受信用のアンテナ２０１で受信した衛星デジタルテレビジョン放送信号は、入力端子２０２を介して衛星デジタル放送用のチューナ２０３に出力され、チューナ２０３にて所望のチャンネルの放送信号が選局される。チューナ２０３で選局された放送信号は、ＰＳＫ（Ｐｈａｓｅ  Ｓｈｉｆｔ  Ｋｅｙｉｎｇ）復調器２０４に出力され、ＰＳＫ復調器２０４にてデジタルの映像信号および音声信号に復調された後に信号処理部２０５に出力される。また、地上波アナログ信号を受信するアナログチューナ２０６が備えられており、アナログチューナ２０６で受信された信号は、アナログ復調器２０７にて復調された後に信号処理部２０５に出力される。
【００１３】
また、地上デジタル放送受信用のアンテナ２０８で受信した地上デジタルテレビジョン放送信号は、入力端子２０９を介して地上デジタル放送用のチューナ２１０に出力され、チューナ２１０にて所望のチャンネルの放送信号が選局される。チューナ２１０で選局された放送信号は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調器２１１に出力され、ＯＦＤＭ復調器２１１にてデジタルの映像信号および音声信号に復調された後に信号処理部２０５に出力される。
【００１４】
信号処理部２０５では、ＰＳＫ復調器２０４から入力されたデジタルの映像信号および音声信号と、ＯＦＤＭ復調器２１１から入力されたデジタルの映像信号および音声信号と、アナログ復調器２０７から入力された映像信号および音声信号とに対して、所定のデジタル信号処理を施した後に映像処理部２１２と音声処理部２１３とにそれぞれ出力している。映像処理部２１２では、信号処理部２０５から入力されたデジタルの映像信号と、ＯＳＤ（Ｏｎ  Ｓｃｒｅｅｎ  Ｄｉｓｐｌａｙ）信号生成部２１４で生成されるＯＳＤ信号とを重畳して映像表示部１０１に出力する機能を有する。なお、映像処理部２１２では、信号処理部２０５から入力された映像信号とＯＳＤ信号生成部２１４から入力されたＯＳＤ信号とを選択的に出力することができ、各信号をそれぞれ画面の半分を構成するように組み合わせて出力することが可能である。映像処理部２１２から出力されたデジタルの映像信号は、映像表示部１０１にて映像表示される。また、音声処理部２１３は、入力されたデジタルの音声信号をスピーカ１０２にて再生可能なフォーマットのアナログ音声信号に変換した後にスピーカ１０２に出力することによって音声を再生させる。
【００１５】
制御部２１５は、デジタルテレビジョン放送受信装置１００の各構成要素の受信動作を含む全ての動作を統括的に制御している。制御部２１５にはＣＰＵ（Ｃｅｎｔｒａｌ  Ｐｒｏｃｅｓｓｉｎｇ  Ｕｎｉｔ）などが内蔵されており、操作部１０４からの操作情報またはリモートコントローラ１０５から送信されてきた操作情報を受光部１０３で受信し、それぞれの操作情報に含まれる操作内容が反映されるように各構成要素を制御している。各構成要素の制御には、主としてＣＰＵが実行する制御プログラムを格納しているＲＯＭ（Ｒｅａｄ  Ｏｎｌｙ  Ｍｅｍｏｒｙ）２１６、ＣＰＵに作業エリアを提供するＲＡＭ（Ｒａｎｄｏｍ  Ａｃｃｅｓｓ  Ｍｅｍｏｒｙ）２１７、各種の設定情報および制御情報などが格納されている不揮発性メモリ２１８とを用いている。
【００１６】
また、制御部２１５は、カードＩ／Ｆ（Ｉｎｔｅｒｆａｃｅ）２１９を介してメモリカード１１０に接続して情報伝達を行なうことができる。さらに、ディスク駆動制御部２２０を介してＨＤＤ２２１（内部の記録媒体）を制御することが可能であり、信号処理部２０５から出力されたデジタルの映像信号および音声信号を記録させることができ、一方でＨＤＤ２２１に記録されたデジタルの映像信号および音声信号を再生させることができる。なお、ＨＤＤ２２１等の内部の記録媒体が存在しない場合も想定される。
【００１７】
次に、ＨＤＭＩの構成について説明する。
【００１８】
図３は、本発明の実施形態によるＨＤＭＩ（接続手段）の構成ブロック図である。図３に示すように、ＨＤＭＩは送信部３０１と受信部３０５とから構成される。送信部３０１はレコーダ、ＤＶＤ、ＶＴＲなど映像・音声のソースとなるデジタル記録機器が備えており、受信部３０５は映像を表示したり音声を出力するデジタル放送受信装置が備えている。送信部３０１と受信部３０５とは、３種類のＴＭＤＳデータ、ＴＭＤＳクロック、ＣＥＣ信号、ＤＤＣ信号などを伝送するＨＤＭＩケーブルで接続されている。
【００１９】
送信部３０１は送信側制御部３０２によって制御されており、送信側ＴＭＤＳエンコーダ３０３で映像信号と音声信号とを高速伝送に適した３種類のＴＭＤＳデータ信号とＴＭＤＳクロック信号とに変換し、ＨＤＭＩケーブル３０４を介して受信部３０５に出力する。受信部３０５は受信側制御部３０６によって制御されており、送信部３０１から送信されてきた３種類のＴＭＤＳデータ信号とＴＭＤＳクロック信号とを受信側ＴＭＤＳデコーダ３０７で映像信号と音声信号とに変換する。
【００２０】
ＣＥＣ（Ｃｏｎｓｕｍｅｒ  Ｅｌｅｃｔｒｏｎｉｃｓ  Ｃｏｎｔｒｏｌ）ライン３０８は、ＨＤＭＩケーブルにで接続された機器間でＣＥＣ信号を伝送する。ＣＥＣ信号を用いることによって、デジタルテレビジョン放送受信装置１００のリモートコントローラ１０５または操作部１０４からデジタル記録機器に対してＨＤＭＩケーブルを介して操作することが可能となる。
【００２１】
ＤＤＣ（Ｄｉｓｐｌａｙ  Ｄａｔａ  Ｃｈａｎｎｅｌ）ライン３０９は、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）  ＲＯＭ３１０に格納されているデジタルテレビジョン放送受信装置１００、デジタル記録機器、オーディオ機器などの各機種の判別情報やネットワーク構成のための設定値を、ＣＥＣ信号としてＨＤＭＩケーブルを介して送信側制御部３０２に送信する。
【００２２】
上記のＨＤＭＩを使用することによって、デジタルテレビジョン放送受信装置１００の制御部２１５では、ＨＤＭＩケーブルの接続時に第一のＨＤＭＩ端子１０６からＨＤＭＩケーブル１１３を介してＨＤＭＩ対応の第一のレコーダ１１１が接続されたことを読み出し、さらに第一のレコーダ１１１が記録可能な機種であることを読み出して、ネットワーク上における第一のレコーダ１１１のアドレスを設定し、不揮発性メモリ２１８に記憶させる。同様に、制御部２１５では、第二のＨＤＭＩ端子１０７からＨＤＭＩケーブル１１４を介してＨＤＭＩ対応の第二のレコーダ１１２が接続されたことを読み出し、さらに第二のレコーダ１１２が記録可能な機種であることを読み出して、ネットワーク上における第二のレコーダ１１２のアドレスを設定し、不揮発性メモリ２１８に記憶させる。
【００２３】
図４は、本発明の実施形態による放送番組記録動作のフローチャートである。手動または予約によってデジタルテレビジョン放送を記録するシーケンスが開始されると、ステップＳ１において、制御部２１５は予め設定されているデジタル記録機器または記録媒体への記録の優先順位の情報を不揮発性メモリ２１８から読み出す。不揮発性メモリ２１８に記録されている優先順位の情報は、制御部２１５がＨＤＭＩによって接続されている機器を検出したときに自動的に設定されるが、使用者による設定の変更も可能である。本発明の実施形態における優先順位は、優先順位の高いものから順に、デジタルテレビジョン放送受信装置１００に内蔵されているＨＤＤ２２１、第一のレコーダ１１１、第二のレコーダ１１２、デジタルテレビジョン放送受信装置１００に接続されたメモリカード１１０としているが、これ以外の任意の順位であってもよい。
【００２４】
ステップＳ２では、制御部２１５は読み出した優先順位に基づいて記録させるデジタル記録機器または記録媒体を設定する。本発明の実施形態では、優先順位１であるデジタルテレビジョン放送受信装置１００に内蔵されているＨＤＤ２２１が選択される。ステップＳ３において、制御部２１５は記録させるデジタル記録機器または記録媒体に対して記録開始の命令を送信する。本発明の実施形態では、ＨＤＤ２２１に記録を開始させるために、ディスク駆動制御部２２０に対して記録開始の命令を送信する。ディスク駆動制御部２２０は、信号処理部２０５から出力された信号をＨＤＤ２２１に記録開始させる。ステップＳ４では、記録動作が正常に行なわれている場合は、手動による終了または予約の終了時間まで記録が続けられる。ステップＳ５で記録が終了すると、ステップＳ６では、ＯＳＤ信号生成部２１４において記録が正常に終了したことを示すメッセージが生成されて映像処理部２１２を介して映像表示部１０１に表示される。ステップＳ７では、制御部２１５は記録した日時、番組タイトル、チャンネルなどの番組情報、記録時間、記録媒体の情報等よりなる記録の履歴を不揮発性メモリ２１８に記憶させて記録のシーケンスを終了させる。
【００２５】
不揮発性メモリ２１８に記憶された情報は、操作部１０４またはリモートコントローラ１０５の操作によって映像表示部１０１に表示させることが可能であり、使用者が記録確認や記録番組の再生を行なう場合などに用いることができる。
【００２６】
ステップＳ４において、例えば、優先順位２の第一のレコーダ１１１での記録中に記録容量が不足するなどして記録動作が正常でなくなったとき、例えば記録が失敗または途中終了した場合、第一のレコーダ１１１は第一のＨＤＭＩケーブル１１３のＣＥＣライン３０８を介し、デジタルテレビジョン放送受信装置１００に対して記録ができない状態であることを知らせる。そして、ステップＳ８において、制御部２１５は優先順位に基づいて次に記録可能なデジタル記録機器または記録媒体があるのかを確認する。本発明の実施形態では、記録する優先順位として第２順位の第一のレコーダ１１１の次に第３順位の第二のレコーダ１１２がデジタル記録機器として設定されているため、記録するデジタル記録機器を第一のレコーダ１１１から第二のレコーダ１１２に切り換えて、ステップＳ２に戻って記録動作をさせるようにする。ステップ３において、制御部２１５は第二のレコーダ１１２の記録を開始するために、第二のＨＤＭＩケーブル１１４のＣＥＣライン３０８を介して第二のレコーダ１１２に対して記録を開始するように命令する。命令を受けた第二のレコーダ１１２は、記録を開始する。ステップ４において記録動作が正常であると確認されてステップ５で記録が終了すると、ステップ６では記録動作が正常に終了したことが映像表示部１０１に表示される。ステップＳ７では、制御部２１５は第二のレコーダ１１２と第一のレコーダ１１１とに記録した番組情報、記録時間、記録媒体のそれぞれの情報を不揮発性メモリ２１８に記憶して記録のシーケンスを終了する。不揮発性メモリ２１８に記憶された情報は、操作部１０４またはリモートコントローラ１０５の操作によって映像表示部１０１に表示させることが可能であり、使用者が記録確認や記録番組の再生を行なう場合などに用いることができる。
【００２７】
ステップＳ８において、本発明の実施形態での優先順位が最下位であるメモリカード１１０での記録ができなくなった場合は次のデジタル記録機器または記録媒体がないため、ステップＳ９ではＯＳＤ信号生成部２１４で記録が失敗したことを示すメッセージが生成されて映像処理部２１２を介して映像表示部１０１に表示される。次にステップＳ７では、制御部２１５は記録した日時、番組タイトル、チャンネルなどの番組情報、記録時間、記録媒体、正常に記録が終了されなかったことなどよりなる記録の履歴を不揮発性メモリ２１８に記憶してシーケンスを終了する。不揮発性メモリ２１８に記憶された情報は、操作部１０４またはリモートコントローラ１０５の操作によって映像表示部１０１に表示させることが可能であり、使用者が記録確認や記録番組の再生を行なう場合などに用いることができる。
【００２８】
なお、本発明は、ＨＤＭＩ対応のデジタルテレビジョン放送受信装置に適応可能である。
【００２９】
以上のことから、複数のデジタル記録機器を制御可能に接続されたデジタルテレビジョン放送受信装置は、一つのデジタル記録機器が記録中にその記録動作が正常でなくなったときに他のデジタル記録機器に切り換えて記録動作をさせるため、使用者が記録操作をすることなく複数のデジタル記録機器に放送番組を記録することが可能となる。
【図面の簡単な説明】
【００３０】
【図１】本発明の実施形態によるデジタルテレビジョン放送受信装置のネットワークシステムの一例を示す図である。
【図２】本発明の実施形態によるデジタルテレビジョン受信装置の構成ブロック図である。
【図３】本発明の実施形態によるＨＤＭＩの構成ブロック図である。
【図４】本発明の実施形態による放送番組記録動作のフローチャートである。
【符号の説明】
【００３１】
１００  デジタルテレビジョン放送受信装置、１０１  映像表示部、１０２  スピーカ、１０３  受光部、１０４  操作部、１０５  リモートコントローラ、１０６  第一のＨＤＭＩ端子、１０７  第二のＨＤＭＩ端子、１１０  メモリカード、１１１  第一のレコーダ、１１２  第二のレコーダ、１１３  第一のＨＤＭＩケーブル、１１４  第二のＨＤＭＩケーブル、２０１  ＢＳ／ＣＳデジタル放送受信用のアンテナ、２０２  入力端子、２０３  衛星デジタル放送用のチューナ、２０４  ＰＳＫ復調器、２０５  信号処理部、２０６  アナログチューナ、２０７  アナログ復調器、２０８  地上デジタル放送受信用のアンテナ、２０９  入力端子、２１０  地上デジタル放送用のチューナ、２１１  ＯＦＤＭ復調器、２１２  映像処理部、２１３  音声処理部、２１４  ＯＳＤ信号生成部、２１５  制御部、２１６  ＲＯＭ、２１７  ＲＡＭ、２１８  不揮発性メモリ、２１９  カードＩ／Ｆ、２２０  ディスク駆動制御部、２２１  ＨＤＤ、３０１  送信部、３０２  送信側制御部、３０３  送信側ＴＭＤＳエンコーダ、３０４  ＨＤＭＩケーブル、３０５  受信部、３０６  受信側制御部、３０７  受信側ＴＭＤＳエンコーダ、３０８  ＣＥＣライン、３０９  ＤＤＣライン、３１０  ＥＤＩＤ  ＲＯＭ。
【図１】
2009055167.tif 000003
【図２】
2009055167.tif 000004
【図３】
2009055167.tif 000005
【図４】
2009055167.tif 000006